(57)【要約】      （修正有）【課題】ランドセル等の背負い鞄の肩ベルトに、簡単かつ確実に取り付けられ、揺れ動いて顔や物とぶつかることがないキーケースを提供する。【解決手段】薄板状の背面材３１と表面材３２の上端縁及び側周縁が接合され、下端が開口した袋状の鍵収納体３と、鍵収納体の上端に内外を貫通して設けられた小孔３７と、背面材の下端から下方へ連続して設けられた舌片状の蓋体３８と、背面材において左右に離間して設けられた一対の挿通孔と、鍵収納体内の上部に収納され、ゼンマイばねと連結して下方に引き出し可能なリール式キーホルダーと、鍵収納体の上端面から上方に向けて延出すると共に、小孔を介してリール式キーホルダーに連結されて背負い鞄の肩ベルトに設けられたベルト接続環に結合可能な結合部材９と、左右に長尺の帯状に形成され、両端部に面ファスナーを設け、挿通孔に挿通されて鍵収納体に脱着可能に取り付けられるとともに、肩ベルトに巻き付け可能なバンド体７と、を備える。【選択図】図１
0003208017.tif 000002
【実用新案登録請求の範囲】
【請求項１】
背負い鞄の肩ベルトに設けられてなるベルト接続環に取り付けて使用可能なキーケースであって、
柔らかな薄板状である背面材と表面材の上端縁及び側周縁が接合されてなり、下端が開口してなる袋状の鍵収納体と、
前記鍵収納体の上端に内外を貫通して設けられた小孔と、
前記背面材の下端から下方へ連続して設けられてなる舌片状の蓋体と、
前記背面材において左右に離間して設けられてなる一対の挿通孔と、
前記鍵収納体内の上部に収納されてなり、ゼンマイばねが内蔵され、該ゼンマイばねと連結して下方に引き出し可能なリール紐を有してなるリール式キーホルダーと、
前記鍵収納体の上端面から上方に向けて延出してなると共に、前記小孔を介して前記リール式キーホルダーに連結されてなる前記ベルト接続環に結合可能な結合部材と、
左右に長尺の帯状に形成されると共に、左右両端部に面ファスナーを設け、前記挿通孔に挿通されて前記鍵収納体に対して脱着可能に取り付けられてなり、前記肩ベルトに巻き付け可能なバンド体と、を備え、
前記蓋体は、前記背面材の下端を基端として、前記表面材の表側に向かって上方に折り返すように開閉することができ、折り返した状態で、該蓋体と該表面材とを固定可能な留め具を備えてなる、
ことを特徴とするキーケース。
【請求項２】
前記柔らかな薄板状である背面材と表面材の上端縁及び側周縁の接合部が一体に成形されてなる、
ことを特徴とする請求項１に記載のキーケース。
【請求項３】
前記留め具は、前記蓋体を折り返した状態で、該蓋体と前記表面材とが対向する位置に設けられてなる面ファスナーである、
ことを特徴とする請求項１または２に記載のキーケース。
【請求項４】
前記留め具は、前記蓋体を折り返した状態で、該蓋体と前記表面材とが対向する位置に設けられてなるスナップボタンである、
ことを特徴とする請求項１または２に記載のキーケース。
【請求項５】
前記留め具は、左右に細長のベルトであって、左右両端部が前記表面材の表面に接合され、中央部が該表面材との間で前記蓋体が挿通可能な隙間を形成し、該蓋体を折り返した状態で、該蓋体の下端部を前記隙間に挿通することにより該蓋体を押さえて固定可能なベルト通しである、
ことを特徴とする請求項１または２に記載のキーケース。
【考案の詳細な説明】
【技術分野】
【０００１】
本考案は、背負い鞄の肩ベルトに設けられてなるベルト接続環に取り付けて使用可能なキーケースに関する。
【背景技術】
【０００２】
一方の開口端からキーを出し入れでき、他方の閉口端には通孔が設けられたほぼ筒状のホルダー本体と、前記通孔を貫通させ端部に前記キーを取り付けるためのキーリングが取り付けられた鎖とを備え、前記ホルダー本体は軟質の合成樹脂で形成されると共に、前記通孔は前記鎖を挟み付けることができるように扁平に形状され、かつ前記閉口端より突出して形成されたことを特徴とする鎖付きキーホルダーが提案されている。（特許文献１参照）。
【先行技術文献】
【特許文献】
【０００３】
【特許文献１】実開平３−９６１６号公報
【考案の概要】
【考案が解決しようとする課題】
【０００４】
しかしながら、従来の鎖付きキーホルダーによれば、ランドセルに使用する場合、ランドセルの肩ベルトに備えられたＤカンにキーリングを通すことによって、該肩ベルトに鎖付きキーホルダーをぶら下げる方法が取られていたため、特に学童の場合、その通学途上において活発に動き回ることが多く、その際に鎖付きキーホルダーが激しく動いて、顔に当たったり、物とぶつかったりするという問題があった。また、激しく動くことで、場合によっては、鎖が外れて紛失するという問題もあった。
【課題を解決するための手段】
【０００５】
そこで、上記課題を解決するための手段として本考案に係るキーケースは、背負い鞄の肩ベルトに設けられてなるベルト接続環に取り付けて使用可能なキーケースであって、柔らかな薄板状である背面材と表面材の上端縁及び側周縁が接合されてなり、下端が開口してなる袋状の鍵収納体と、前記鍵収納体の上端に内外を貫通して設けられた小孔と、前記背面材の下端から下方へ連続して設けられてなる舌片状の蓋体と、前記背面材において左右に離間して設けられてなる一対の挿通孔と、前記鍵収納体内の上部に収納されてなり、ゼンマイばねが内蔵され、該ゼンマイばねと連結して下方に引き出し可能なリール紐を有してなるリール式キーホルダーと、前記鍵収納体の上端面から上方に向けて延出してなると共に、前記小孔を介して前記リール式キーホルダーに連結されてなる前記ベルト接続環に結合可能な結合部材と、左右に長尺の帯状に形成されると共に、左右両端部に面ファスナーを設け、前記挿通孔に挿通されて前記鍵収納体に対して脱着可能に取り付けられてなり、前記肩ベルトに巻き付け可能なバンド体と、を備え、前記蓋体は、前記背面材の下端を基端として、前記表面材の表側に向かって上方に折り返すように開閉することができ、折り返した状態で、該蓋体と該表面材とを固定可能な留め具を備えてなることを特徴とする。
【０００６】
これにより、前記背負い鞄の肩ベルトのベルト接続環に、前記リール形キーホルダーに連結されてなる結合部材を結合し、該肩ベルトに前記バンド体を巻き付け、該バンド体の両端部に設けた前記面ファスナーで留めることで、例えば、２本の肩ベルトを有してなるランドセル等の背負い鞄の肩ベルトに前記キーケースを簡単、かつ確実に取り付けて使用することが可能となる。また、背負い鞄は、収納容部に１本の肩ベルトが取り付けられてなる肩掛け可能な鞄であっても良い。
【０００７】
前記柔らかな薄板状である背面材と表面材の上端縁及び側周縁の接合部は、合成樹脂により一体に成形されてなることとしても好ましい。これにより、該接合部に継ぎ目がなくなり、前記鍵収納体を滑らかな形状とすることができる。
【０００８】
前記留め具は、前記蓋体を折り返した状態で、該蓋体と前記表面材とが対向する位置に留め具用の面ファスナーが設けられ、例えば、該蓋体と該表面材とが対向する位置となる該蓋体に該留め具用の面ファスナーのループ状に起毛された側が表面になるように縫い付け、同じく該蓋体と該表面材とが対向する位置となる該表面材に該留め具用の面ファスナーのフック状に起毛された側が表面になるように縫い付けて設けられてなることが好ましい。或いは、その逆の構成であっても好ましい。
【０００９】
これにより、該蓋体と該表面材に設けた該留め具用の面ファスナーのフックとループとを押し付けることで該留め具を留めることができる構成となっており、接着と剥離が自在にできると共に、前記蓋体の開け閉めが簡単でスムーズにできる。
【００１０】
また、前記留め具は、前記蓋体を折り返した状態で、該蓋体と前記表面材とが対向する位置にスナップボタンが設けられ、例えば、該蓋体と該表面材とが対向する位置となる該蓋体に該スナップボタンの凸（ゲンコ）側が表面になるように取り付け、同じく該蓋体と該表面材とが対向する位置となる該表面材に該スナップボタンの凹（バネ）側が表面になるように取り付けられてなることが好ましい。或いは、その逆の構成であっても好ましい。
【００１１】
これにより、該蓋体と該表面材に設けた該スナップボタンの凸側と凹側とを押し付けることで該留め具を留めることができる構成となっており、スナップボタンの脱着が自在にできると共に、前記蓋体の開け閉めが簡単でスムーズにできる。
【００１２】
また、前記留め具は、左右に細長のベルトであって、左右両端部が前記表面材の表面に接合され、中央部が該表面材との間で前記蓋体が挿通可能な隙間を形成し、該蓋体を折り返した状態で、該蓋体の下端部を前記隙間に挿通することにより該蓋体を押さえて固定可能なベルト通しであることとしても好ましい。これにより、前記蓋体の開け閉めが簡単でスムーズにできる。
【００１３】
前記鍵収納体は、柔らかな薄板状で、布、或いは合成樹脂等からなる前記背面材と前記表面材との上端縁及び側周縁の面同士が合されて接合されてなることが好ましい。これにより、該鍵収納体が扁平状の袋状構造に形成でき、全体として嵩張らない構成にすることができる。
【００１４】
前記バンド体は、左右両端部に面ファスナーを設けられ、例えば、左端部の裏面側に該面ファスナーのフック状に起毛された側が表面になるように縫い付け、右端部の表面側に該面ファスナーのループ状に起毛された側が表面になるように縫い付けて設けられてなることが好ましい。或いは、その逆の構成であっても好ましい。
【００１５】
これにより、前記肩ベルトに該バンド体を巻き付け、該バンド体の両端部に設けた該面ファスナーのフックとループとを押し付けることで該面ファスナーを留めることができる構成となっており、接着と剥離が自在にできると共に、前記蓋体の開け閉めが簡単でスムーズにできる。
【００１６】
前記挿通孔は、帯状の前記バンド体を容易に挿通できる一対の長孔を形成してなる。前記背面材の一方の長孔に該バンド体を挿入し、前記鍵収納体の中を通して、さらに他方の長孔から該バンド体を引き出し、該バンド体が該鍵収納体に対して、左右に略同一長さで引き出された状態とすることにより、該バンド体の該鍵収納体に対する取り付けができたことになる。
【００１７】
これにより、左右に引き出された該バンド体を前記肩ベルトに巻き付けることができる。
【００１８】
また、前記鍵収納体から該バンド体を外して、前記背負い鞄のマチ部に取り付けられたＤカンに、前記リール形キーホルダーに連結されてなる結合部材を結合することにより、該リール形キーホルダーが収納された該鍵収納体を前記キーケースとして使用することもできる。
【００１９】
前記リール式キーホルダーは、前記ゼンマイばねによる自動巻取りが可能な構成となっており、該リール紐の先端にはキーを取り付けるための小形のリングを取り付けられてなることが好ましい。
【００２０】
これにより、常時は、取り付けられた前記キーが前記鍵収納体の中に収納された状態となっている。該キーを使用する際は、前記蓋体を開けて該キーを引き出して使用する。該キーの使用後は前記ゼンマイばねの自動巻取り機能により、前記リール紐が巻き取られ、該鍵収納体の中に該キーが収納される。最後に、前記蓋体を閉じることで前記キーケースの使用が完了する。
【考案の効果】
【００２１】
本考案によれば、背負い鞄の肩ベルトのベルト接続環に、リール形キーホルダーに連結されてなる結合部材を結合し、該肩ベルトにバンド体を巻き付け、該バンド体の両端部に設けた面ファスナーで留めることで、例えば、ランドセル等の背負い鞄にキーケースが簡単かつ確実に取り付けられる。
【００２２】
これにより、従来のような肩ベルトに取り付けられたキーケースが該肩ベルトに対して激しく揺れ動くことを防止し、顔に当たったり、物とぶつかったりするという問題を解決することができる。
【００２３】
また、蓋体を設けていることにより、キーを使用しない場合、鍵収納体の中に該キーを収納して該キーが飛び出さないようにしてなるので、該キーの紛失を未然に防ぐことができる。
【００２４】
また、鍵収納体からバンド体が脱着できることにより、肩ベルトに取り付ける以外に、例えば背負い鞄のマチ部分に取り付けられたナスカン等に、リール形キーホルダーに連結されてなる結合部材を結合して、該バンド体を使わないで使用することも可能である。
【００２５】
これにより、キーケースを肩ベルトに取り付けない場合には、該キーケースを嵩張らないように薄くして使用することができる。
【図面の簡単な説明】
【００２６】
【図１】本考案の一実施例を示す図であり、キーケースの正面図（ａ）及びＡ−Ａ断面図（ｂ）である。
【図２】図１のキーケースの背面図である。
【図３】図１のＢ−Ｂ拡大断面図である。
【図４】図３のＣ−Ｃ端面図である。
【図５】本考案の一実施例を示す図であり、蓋体を折り返して面ファスナーで留めた状態のキーケースの正面図（ａ）及び側面図（ｂ）である。
【図６】本考案の一実施例の使用状態を示す図であり、リール式キーホルダーの上部に連結された結合部材にナスカンを結合し、リール式キーホルダーのリール紐の先端に連結された小形のリングにキーを取り付けた状態の鍵収納体の内部構造を示す参考正面図である。
【図７】本考案の一実施例の使用状態を示す図であり、キーケースをランドセルの肩ベルトに取り付けた状態で、キーを鍵収納体から引き出して鍵穴にキーを差し込んでいる状態の参考斜視図（ａ）及びその取り付け状態を裏側から見たもので、肩ベルトにバンド体を巻き付けて面ファスナーで留めた状態の参考斜視図（ｂ）である。
【図８】本考案の一実施例の別の使用状態（バンド体を使わない場合）を示す図であり、キーケースからバンド体が引き出された状態の参考正面図（ａ）及びランドセルのマチ部のＤカンにナスカンを結合した状態で、キーを鍵収納体から引き出して鍵穴にキーを差し込んでいる状態の参考斜視図（ｂ）である。
【図９】本考案の一実施例を示す図であり、留め具がスナップボタンからなり、蓋体を開けた状態のキーケースの正面図（ａ）及び蓋体を閉じてスナップボタンを留めた状態のキーケースの正面図（ｂ）である。
【図１０】図９（ｂ）のＤ−Ｄ端面図である。
【図１１】本考案の一実施例を示す図であり、留め具がベルト通しからなり、蓋体を開けた状態のキーケースの正面図（ａ）及び蓋体を閉じて、蓋体の下端部を表面材と蓋体の隙間に挿通させた状態のキーケースの正面図（ｂ）である。
【図１２】図１１（ｂ）のＥ−Ｅ端面図である。
【考案を実施するための形態】
【００２７】
以下、本考案に係る実施の形態を、図１乃至図１２を参照しながら詳しく説明する。
【００２８】
図１乃至図４に示すように、本考案のキーケース１は、鍵収納体３と、リール式キーホルダー５と、バンド体７と、結合部材９を構成部材として備えている。
【００２９】
鍵収納体３は、背面材３１と表面材３２の上端縁３３及び側周縁３４，３４を縫合等により接合してなり、下端３５を開口してなる略偏平形状からなる袋状の収納体が形成されてなる。
【００３０】
また、鍵収納体３は、鍵収納体３の上端３６に内外を貫通して設けられた小孔３７と、背面材３１の下端３５から下方へ連続して設けられてなる舌片状の蓋体３８を有してなり、さらに、背面材３１に左右に離間して設けられてなる一対の挿通孔３９，３９が設けられてなる。
【００３１】
図４及び図６に示すように、リール式キーホルダー５は、鍵収納体３内の上部に収納されてなり、キーＫの出し入れを行うためのもので、ゼンマイばね５１が内蔵され、ゼンマイばね５１と連結して下方に引き出し可能なリール紐５３から構成されてなる。
【００３２】
また、リール紐５３の長さは略４０センチメートルで、リール紐５３がゼンマイばね５１により自動巻取りが可能となっており、リール紐５３の先端に接続されてなる接続具５９にキーＫを取り付けるための小形のリング５５が取り付けられてなる。これにより、常時は、取り付けられたキーＫが鍵収納体３の中に収納された状態となっている。
【００３３】
図１及び図２に示すように、バンド体７は、左右に長尺の帯状に形成されると共に、左右両端部７１，７１に面ファスナー７３を設け、挿通孔３９，３９に挿通されて鍵収納体３に対して脱着可能に取り付けられてなる。
【００３４】
また、バンド体７は、左端部７１１の裏面側Ｓに面ファスナー７３のフック状に起毛された側７３ｂが表面になるように縫い付け、右端部７１３の表面側Ｆに面ファスナー７３のループ状に起毛された側７３ａが表面になるように縫い付けることにより、面ファスナー７３がバンド体７に設けられてなる。
【００３５】
図１乃至図４に示すように、結合部材９は、鍵収納体３の小孔３７を介してリール式キーホルダー５の接続具５７に連結され、上端３６から上方に向けて延出してなり、後述するランドセルＲの肩ベルトＵに取り付けられたベルト接続環Ｔに結合可能な構成となっている。
【００３６】
図１及び図５に示すように、蓋体３８は、背面材３１の下端３５を基端として、表面材３２の表側に向かって上方に折り返すように開閉することができ、折り返した状態で、蓋体３８と表面材３２とを固定可能な留め具を備えてなる。
【００３７】
留め具は、図１及び図５に示すような、留め具用の面ファスナー３０１でも良く、図９及び図１０に示すような、スナップボタン３０３でも良く、図１１及び図１２に示すような、ベルト通し３０５でも良く、いずれの留め具であっても良い。
【００３８】
また、面ファスナーからなる留め具は、蓋体３８を折り返した状態で、蓋体３８と表面材３２とが対向する位置に留め具用の面ファスナー３０１が設けられてなる。蓋体３８に面ファスナー３０１のループ状に起毛された側３０１ａが表面になるように縫い付け、表面材３２に面ファスナー３０１のフック状に起毛された側３０１ｂが表面になるように縫い付けられてなる。
【００３９】
これにより、面ファスナー３０１のフック側３０１ｂにループ側３０１ａを押し付けることで、留め具を留めることができる構成となっている。
【００４０】
また、スナップボタンからなる留め具は、蓋体３８を折り返した状態で、蓋体３８と表面材３２とが対向する位置に留め具用のスナップボタン３０３が設けられてなる。蓋体３８にスナップボタン３０３の凸（ゲンコ）側３０３ａが表面になるように縫い付け、表面材３２にスナップボタン３０３の凹（バネ）側３０３ｂが表面になるように縫い付けられてなる。
【００４１】
これにより、スナップボタン３０３の凹（バネ）側３０３ｂに凸（ゲンコ）側３０３ａを押し付けることで、留め具を留めることができる構成となっている。
【００４２】
また、ベルト通しからなる留め具は、蓋体３８を折り返した位置に留め具用のベルト通し３０５が設けられてなる。ベルト通し３０５は左右に細長のベルトであって、左右両端部３０５ａ，３０５ａが表面材３２の表面に接合されてなる。中央部３０５ｂが表面材３２との間で蓋体３８が挿通可能な隙間３０５ｃを形成してなり、蓋体３８を折り返した状態で、蓋体３８の下端部を隙間３０５ｃに挿通することができる。
【００４３】
これにより、ベルト通し３０５の隙間３０５ｃに蓋体３８を挿通することで、留め具を留めることができる構成となっている。
【００４４】
次に、本考案のキーケース１の使用状態について、図６乃至図８を参照しながら詳しく説明する。
【００４５】
本考案のキーケース１は、図６に示すように、リール紐５３の先端の接続具５９に接続された小形のリング５５に吊着してキーＫを取り付けたリール式キーホルダー５を鍵収納体３内に収納してなる。上端３６の小孔３７を介してリール式キーホルダー５の接続具５７に連結して上方に向けて延出してなる結合部材９にナスカンＮを連結してなる。
【００４６】
さらに、鍵収納体３の挿通孔３９，３９にバンド体７を挿通することにより、キーケース１を使用するための準備が完了する。なお、使用に際しては、蓋体３８を折り返して留め具で留めて閉じておく。
【００４７】
また、本考案のキーケース１は、図７（ａ）に示すように、ランドセルＲの肩ベルトＵのベルト接続環Ｔ（例えば、Ｄカン）に、結合部材９に連結されたナスカンＮを連結されてなる。図７（ｂ）に示すように、肩ベルトＵにバンド体７を巻き付け、面ファスナー７３のフック側７３ｂとループ側７３ａとを合わせて押し付けることにより、ランドセルＲ等の背負い鞄の肩ベルトＵにキーケース１を簡単、かつ確実に取り付けて使用することができる。
【００４８】
キーＫを使用する場合、蓋体３８を開けてキーＫを持って引き出して、鍵穴ＨにキーＫを差し込むことになる。なお、キーＫの使用後は、自動巻取りによりリール紐５３が巻き取られ、キーＫが鍵収納体３の中に収納されるので、蓋体３８を閉じるだけで良い。
【００４９】
また、本考案のキーケース１は、図８に示すように、バンド体７を使用しない使用方法もある。図８（ａ）のとおり、バンド体７を外す。図８（ｂ）のとおり、ランドセルＲのマチ部Ｍに取り付けられたＤカンＰに、結合部材９に連結されたナスカンＮを結合して、ランドセルＲ等の背負い鞄のマチ部Ｍにキーケース１を取り付けて使用することができる。これにより、肩ベルトＵ以外にも、キーケース１を取り付けられる位置の選択肢が増えることになる。
【００５０】
キーＫを使用する場合、前述したように、蓋体３８を開けてキーＫを持って引き出して、鍵穴ＨにキーＫを差し込むことになる。なお、キーＫの使用後は、自動巻取りによりリール紐５３が巻き取られ、キーＫが鍵収納体３の中に収納されるので、蓋体３８を閉じるだけで良い。
【００５１】
以上説明したように、キーケース１がバンド体７を備えることにより、肩ベルトＵに取り付けられたキーケース１が肩ベルトＵに対して激しく揺れ動くことを防止し、顔に当たったり、物とぶつかったりするという問題を解決することができる。
【００５２】
また、本考案のキーケース１は、蓋体３８を設けてなることにより、キーＫを使用しない場合、鍵収納体３の中にキーＫを収納し飛び出さないようにしてなるので、キーＫの紛失を未然に防ぐことができる。
【符号の説明】
【００５３】
１    キーケース
３    鍵収納体
５    リール式キーホルダー
７    バンド体
９    結合部材
３１    背面材
３２    表面材
３８    蓋体
３９    挿通孔
５１    ゼンマイばね
５３    リール紐
７３    面ファスナー
３０１    面ファスナー
３０３    スナップボタン
３０５    ベルト通し
Ｋ    キー
Ｒ    ランドセル
Ｕ    肩ベルト
【図１】
0003208017.tif 000003
【図２】
0003208017.tif 000004
【図３】
0003208017.tif 000005
【図４】
0003208017.tif 000006
【図５】
0003208017.tif 000007
【図６】
0003208017.tif 000008
【図７】
0003208017.tif 000009
【図８】
0003208017.tif 000010
【図９】
0003208017.tif 000011
【図１０】
0003208017.tif 000012
【図１１】
0003208017.tif 000013
【図１２】
0003208017.tif 000014